(57)【要約】      （修正有）【課題】墓石内に尊属等とともに同埋しても腐食・腐敗のほとんどない位牌を提供する。【解決手段】墓石に同埋する位牌１であって、耐腐食性にすぐれる透明ケース２内に、弔われる対象の情報を施した礼札３を外気と接触することなく埋設してなり、透明ケースの下部を嵌合して支持する台座５を備え、透明ケース２は合成樹脂成形品であり礼札は金属で構成する。【選択図】図２
0003163867.tif 000002
【実用新案登録請求の範囲】
【請求項１】
墓石に同埋する位牌であって、耐腐食性にすぐれる透明ケース内に、弔われる対象の情報を施した礼札を、外気と接触することなく埋設してなることを特徴とする位牌。
【請求項２】
透明ケースの下部を嵌合して支持する台座を備えていること特徴とする請求項１記載の位牌。
【請求項３】
透明ケースは合成樹脂成形品であることを特徴とする請求項１または請求項２記載の位牌。
【請求項４】
礼札は金属であることを特徴とする請求項１ないし請求項３の何れかに記載の位牌。
【考案の詳細な説明】
【技術分野】
【０００１】
本考案は位牌に関する。
【背景技術】
【０００２】
従来、位牌として、木材を所定の形状に加工して位牌形状としたものが用いられてきた。しかしながら、木材を素材としたこのような位牌は、高温や多湿の環境下、あるいは暗所や水風雪には耐久性が乏しい。そこで、木材の表面に金箔を貼り付けたり、金粉とニス液とを混ぜ合わせたものを塗りつけたり、あるいは漆材を塗布して乾燥仕上げをすることで木材を保護し、これを尊家仏壇内または仏壇間近に安置するようにして、先祖等の霊を仏壇内または屋内に祀り、朝夕の礼拝により霊を弔うものとして用いられている。このような位牌によれば、雨天、強風、猛暑、極寒、積雪等の天候悪条件時に、墓地まで行かずに霊を弔うことができるという利点がある。
【０００３】
ところで近年、尊属等を弔う手段として、下記特許文献１に示す位牌が提案されている。この位牌は、底面に形成された挿入口から礼札を挿入して収容可能な収容部を備えた透明なケースと、挿入口に覆い被さるようにケースの底部に嵌合される台座とからなり、透明なケースの底面の挿入口から収容部内に礼札を挿入して台座に嵌合するよう構成されている。このような位牌によれば、木材を用いる場合に比べて老朽化を抑えることが可能になる。
【先行技術文献】
【特許文献】
【０００４】
【特許文献１】特開２００７−２９４号公報
【考案の概要】
【考案が解決しようとする課題】
【０００５】
しかしながら、上記従来の位牌では、底面に形成された挿入口から礼札を挿入するよう構成されているから、ケースに形成された収容部は外部（外気）と連通している。この位牌は、木材を材料とした位牌に比べて老朽化を抑える点については優れているものの、位牌はきわめて長期にわたる設置・使用になるため、やはり礼札の色あせや老朽化が生じてしまう。
【０００６】
また昨今、尊属等を弔うために墓石（墓地）に同埋して用いる位牌の出現が待たれているが、墓石内は多湿であるから、上記従来の位牌を墓石に同埋すると腐食が進行し易く、したがって不適当である。
【０００７】
そこで本考案は、墓石内に尊属等とともに同埋しても腐食・腐敗のほとんどない位牌の提供を目的とする。
【課題を解決するための手段】
【０００８】
本考案は、墓石に同埋する位牌であって、耐腐食性にすぐれる透明ケース内に、弔われる対象の情報を施した礼札を、外気と接触することなく埋設してなることを特徴とする位牌。
【０００９】
上記構成によれば、透明ケースは耐腐食性にすぐれるから墓石に同埋しても極めて長期に亘って多湿等の環境に耐え、礼札は外気と接触しないよう透明ケースに埋設されているから腐食がなく、観者は透明ケースの外側から礼札に施された、弔われる対象（人物や動物）の情報を観てとることができる。なお、弔われる対象として、亡くなった姻戚、尊属、卑属、動物が挙げられる。
【００１０】
本考案の位牌では、透明ケースの下部を嵌合して支持する台座を備えた構成を採用することができる。この構成によれば、透明ケースを台座に設置した状態で安定させられる。
【００１１】
本考案の位牌では、透明ケースは合成樹脂成形品である構成を採用することができる。また、本考案の位牌では、礼札は金属である構成を採用することができる。
【考案の効果】
【００１２】
本考案の位牌によれば、透明ケースは耐腐食性にすぐれ、墓石に同埋しても極めて長期に亘って多湿等の環境に耐え、礼札は外気と接触しないよう透明ケースに埋設されているから腐食がなく、観者は透明ケースの外側から礼札に施された、弔われる対象の情報を観てとることができる。このため、弔う者の快い供養の気持を長期に亘って維持させることが可能になる。
【図面の簡単な説明】
【００１３】
【図１】本考案の一実施形態に係る位牌の正面図である。
【図２】同幅方向中心での縦断面図である。
【図３】別の実施形態に係る位牌の正面図である。
【図４】さらに別の実施形態に係る位牌の正面図である。
【考案を実施するための形態】
【００１４】
以下、本考案の一実施形態に係る位牌を図１および図２に基づいて説明する。本考案の位牌１は、墓石に同埋する位牌である。その構成は、柱状（平板状の直方体）に形成された耐腐食性にすぐれる透明ケース２の内部に、先祖（弔われる対象の一例）の情報を施した礼札３を、外気と接触することなく埋設（インサート成形）してなる。
【００１５】
耐腐食性にすぐれる透明ケース２として、化学合成樹脂材やガラス材の加工品が挙げられる。これらの材質は、高温多湿、寒暖、暗所、水気による腐敗、あるいは微生物の発生による腐敗がほとんどなく、半永久的に使用可能である。このため墓石に同埋する位牌１の構成部材として好適である。化学合成樹脂材の例として、ＡＢＳ樹脂、アクリル樹脂、ポリエステル樹脂、硬質塩化ビニール樹脂、ポリプロピレン樹脂、グラスファイバー樹脂、カーボンファイバー樹脂等が挙げられる。
【００１６】
礼札３は金属から薄肉の板状に形成されている。そして例えば、表面には法名が施印され、裏面には俗名や死去年月日、存命年齢等の情報４が記入されてなる。また礼札３は、透明ケース２の中心部に埋め込まれている。礼札３は、透明ケース２に埋め込まれているから、礼札３もまた、腐敗を抑制されている。
【００１７】
本考案の位牌１は、透明ケース２の下部を嵌合して支持する台座５を備えている。台座５は下部を形成する大台座部６と、その上部に一体的に形成された小台座部７とから構成されている。大台座部６および小台座部７はともに直方体形状に形成され、小台座部７は大台座部６に比べて小さく形成されるとともに、小台座部７は大台座部６の上面の中心に配置されている。この台座５は、透明ケース２と同様の材料で形成されているが、不透明である。
【００１８】
小台座部７の上面中心に、透明ケース２の下部を嵌合する凹部８が形成されている。この凹部８は透明ケース２の下部に比べてわずかに大きく形成されることで、透明ケース２の下部を嵌合し易くしている。また、台座５に透明ケース２の下部を嵌合した状態で位牌１を正面視すると、礼札３の下端部３ａが隠蔽された状態となる。この構成により、台座５に透明ケース２の下部を嵌合した状態とすると、台座５と透明ケース２とが、観者には一体化されたように観て取ることができる。
【００１９】
上記位牌１は、次のような用い方をすることが好適である。すなわち、人物供養法済みの位牌であって、施供養法のできる僧正によって供養法を施し、他の位牌と墓石に同埋をする人物供養法済みの位牌。あるいは、土葬死者埋葬と同埋する供養法済みの位牌。あるいは動物供養法済み位牌であって、施供養法のできる僧正によって供養法を施し、家族同家、家族同室に奉祀する位牌、である。
【００２０】
弔いの対象動物としては、例えば馬（競走馬、優良血統馬、愛馬、レコードホルダー馬、食用馬等）、牛（優秀種付け牛、レコードホルダー牛、乳牛、闘牛等）、犬・猫（優良血統証付きの愛玩動物、あるいは家族同然であった愛玩動物）、小鳥、盲導犬、警察犬等が挙げられる。そして礼札３の表面には、これら動物の法名、俗名（愛称）、種別名を記載し、裏面には死去年月日を記載することが好ましい。なおこれらの記載は、印刷による記載、人手による記載等、記載方法は適宜選択可能であり、礼札３への記載位置もまた適宜選択可能である。さらにこの際、図柄、色彩を施してもよい。
【００２１】
本考案は上記形態に限定されるものではなく、本考案の範囲内で多くの変形が可能である。例えば、上記実施形態では、透明ケース２は縦長の柱状（平板状の直方体）に形成したが、これに限定されない。例えば、横長の直方体形状であってもよい。また図３では、透明ケース２は、正面視して円形に形成されている。この透明ケース２は円板状であってもよいし、球状であってもよい。
【００２２】
また、図４に示すように、正面視して六角形（あるいは多角形）の板状に形成することも好ましい。図３および図４に示す場合では、台座５に形成した凹部８に嵌合する嵌合部１０を、透明ケース２の下部に一体的に形成することが好ましい。あるいは円柱状や小判状に形成することや、動物（例えば、弔う愛玩動物）を模った形状にすることも可能である。
【００２３】
さらに、透明ケース２の形状に応じて礼札３の形状も任意に変更させることも可能である。例えば図３に示す場合では、礼札３は正面視して円形にし、図４に示す場合では、六角形（多角形）に形成する。何れにしても、本考案の位牌を墓石に同埋して、半永久的に対象人物、あるいは愛玩動物等を弔うように使用することができる。
【符号の説明】
【００２４】
１…位牌
２…透明ケース
３…礼札
４…情報
５…台座
６…大台座部
７…小台座部
８…凹部
【図１】
0003163867.tif 000003
【図２】
0003163867.tif 000004
【図３】
0003163867.tif 000005
【図４】
0003163867.tif 000006